【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
撮像装置で撮像された医療画像に対して、前記医療画像を低域成分からなる低域画像および高域成分からなる高域画像に分割する分割部と、
前記分割部で生成された前記低域画像に高画質化処理を施す高画質化処理部と、
前記医療画像が撮像された際の条件情報に応じて、前記高画質化処理が施された前記低域画像、または、前記高画質化処理が施された前記低域画像と前記高域画像とを合成した画像を出力画像として生成する画像処理部と
を備えた医療用画像処理システム。
【請求項２】
前記条件情報は、光源が通常光か特殊光かを示す情報である
請求項１に記載の医療用画像処理システム。
【請求項３】
前記条件情報は、前記医療画像を撮像した撮像部の拡大率を示す情報である
請求項１に記載の医療用画像処理システム。
【請求項４】
前記条件情報は、撮像された画像が通常観察画像か特殊観察画像かを示す情報である
請求項１に記載の医療用画像処理システム。
【請求項５】
前記条件情報は、前記撮像装置の撮像に係る明るさに関する情報である
請求項１に記載の医療用画像処理システム。
【請求項６】
前記条件情報は、前記撮像装置の光学レンズ部に係る情報である
請求項５に記載の医療用画像処理システム。
【請求項７】
前記画像処理部は、前記条件情報が前記撮像装置の撮像に係る明るさが暗い状態であることを示す場合、前記高画質化処理が施された前記低域画像を出力画像として出力する
請求項５に記載の医療用画像処理システム。
【請求項８】
前記出力画像は少なくとも4K以上の空間解像度を有する
請求項１に記載の医療用画像処理システム。
【請求項９】
前記低域画像に対して画像を縮小する縮小部を更に備え、
前記高画質化処理部は、前記縮小された前記低域画像に対して前記高画質化処理を施す
請求項１または８に記載の医療用画像処理システム。
【請求項１０】
前記縮小部は、前記条件情報に基づいて縮小率を決定する
請求項９に記載の医療用画像処理システム。
【請求項１１】
前記高画質化処理は、空間方向ノイズ除去処理、時間方向ノイズ除去処理、色補正処理、および構造強調処理のいずれかを含む処理である
請求項１に記載の医療用画像処理システム。
【請求項１２】
撮像装置で撮像された医療画像に対して、前記医療画像を低域成分からなる低域画像および高域成分からなる高域画像に分割し、
前記医療画像が分割されることにより生成された前記低域画像に高画質化処理を施し、
前記医療画像が撮像された際の条件情報に応じて、前記高画質化処理が施された前記低域画像、または、前記高画質化処理が施された前記低域画像と前記高域画像とを合成した画像を出力画像として生成する
医療用画像処理システムの作動方法。
【請求項１３】
撮像装置で撮像された医療画像に対して、前記医療画像を低域成分からなる低域画像および高域成分からなる高域画像に分割する分割部と、
前記分割部で生成された前記低域画像にノイズ除去処理により高画質化処理を施す高画質化処理部と、
前記医療画像に含まれるノイズ成分に関する情報に応じて、前記高画質化処理が施された前記低域画像、または、前記高画質化処理が施された前記低域画像と前記高域画像とを合成した画像を出力画像として生成する画像処理部と
を備える医療用画像処理システム。
【手続補正２】
【補正対象書類名】明細書
【補正対象項目名】発明の名称
【補正方法】変更
【補正の内容】
【発明の名称】医療用画像処理システム、および医療用画像処理システムの作動方法
【手続補正３】
【補正対象書類名】明細書
【補正対象項目名】０００１
【補正方法】変更
【補正の内容】
【０００１】
本技術は、医療用画像処理システム、および医療用画像処理システムの作動方法に関し、特に、内視鏡システムを構成する内視鏡装置により撮像された画像の高画質化処理において、撮像条件に応じて、処理負荷の低減と、解像度の向上とをバランスよく調整できるようにした医療用画像処理システム、および医療用画像処理システムの作動方法に関する。
【手続補正４】
【補正対象書類名】明細書
【補正対象項目名】０００８
【補正方法】変更
【補正の内容】
【０００８】
本技術の第１の側面の医療用画像処理システムは、撮像装置で撮像された医療画像に対して、前記医療画像を低域成分からなる低域画像および高域成分からなる高域画像に分割する分割部と、前記分割部で生成された前記低域画像に高画質化処理を施す高画質化処理部と、前記医療画像が撮像された際の条件情報に応じて、前記高画質化処理が施された前記低域画像、または、前記高画質化処理が施された前記低域画像と前記高域画像とを合成した画像を出力画像として生成する画像処理部とを備えた医療用画像処理システムである。
【手続補正５】
【補正対象書類名】明細書
【補正対象項目名】０００９
【補正方法】変更
【補正の内容】
【０００９】
前記条件情報は、光源が通常光か特殊光かを示す情報とすることができる。
【手続補正６】
【補正対象書類名】明細書
【補正対象項目名】００１０
【補正方法】変更
【補正の内容】
【００１０】
前記条件情報は、前記医療画像を撮像した撮像部の拡大率を示す情報とすることができる。
前記条件情報は、撮像された画像が通常観察画像か特殊観察画像かを示す情報とすることができる。
前記条件情報は、前記撮像装置の撮像に係る明るさに関する情報とすることができる。
前記条件情報は、前記撮像装置の光学レンズ部に係る情報とすることができる。
前記画像処理部には、前記条件情報が前記撮像装置の撮像に係る明るさが暗い状態であることを示す場合、前記高画質化処理が施された前記低域画像を出力画像として出力させるようにすることができる。
前記出力画像は少なくとも4K以上の空間解像度を有するものとすることができる。
前記低域画像に対して画像を縮小する縮小部を更に設けるようにさせることができ、前記高画質化処理部には、前記縮小された前記低域画像に対して前記高画質化処理を施すようにさせることができる。
前記縮小部には、前記条件情報に基づいて縮小率を決定させるようにすることができる。
前記高画質化処理は、空間方向ノイズ除去処理、時間方向ノイズ除去処理、色補正処理、および構造強調処理のいずれかを含む処理とすることができる。
【手続補正７】
【補正対象書類名】明細書
【補正対象項目名】００１１
【補正方法】変更
【補正の内容】
【００１１】
本開示の第１の側面の医療用画像処理システムの作動方法は、撮像装置で撮像された医療画像に対して、前記医療画像を低域成分からなる低域画像および高域成分からなる高域画像に分割し、前記医療画像が分割されることにより生成された前記低域画像に高画質化処理を施し、前記医療画像が撮像された際の条件情報に応じて、前記高画質化処理が施された前記低域画像、または、前記高画質化処理が施された前記低域画像と前記高域画像とを合成した画像を出力画像として生成する医療用画像処理システムの作動方法である。
【手続補正８】
【補正対象書類名】明細書
【補正対象項目名】００１２
【補正方法】変更
【補正の内容】
【００１２】
本技術の第１の側面においては、撮像装置で撮像された医療画像に対して、前記医療画像が低域成分からなる低域画像および高域成分からなる高域画像に分割され、生成された前記低域画像に高画質化処理が施され、前記医療画像が撮像された際の条件情報に応じて、前記高画質化処理が施された前記低域画像、または、前記高画質化処理が施された前記低域画像と前記高域画像とが合成された画像が出力画像として生成される。
本技術の第２の側面の医療用画像処理システムは、撮像装置で撮像された医療画像に対して、前記医療画像を低域成分からなる低域画像および高域成分からなる高域画像に分割する分割部と、前記分割部で生成された前記低域画像にノイズ除去処理により高画質化処理を施す高画質化処理部と、前記医療画像に含まれるノイズ成分に関する情報に応じて、前記高画質化処理が施された前記低域画像、または、前記高画質化処理が施された前記低域画像と前記高域画像とを合成した画像を出力画像として生成する画像処理部とを備える医療用画像処理システムである。
本技術の第２の側面においては、撮像装置で撮像された医療画像に対して、前記医療画像が低域成分からなる低域画像および高域成分からなる高域画像に分割され、生成された前記低域画像にノイズ除去処理により高画質化処理が施され、前記医療画像に含まれるノイズ成分に関する情報に応じて、前記高画質化処理が施された前記低域画像、または、前記高画質化処理が施された前記低域画像と前記高域画像とが合成された画像が出力画像として生成される。
【手続補正９】
【補正対象書類名】明細書
【補正対象項目名】００１３
【補正方法】変更
【補正の内容】
【００１３】
本技術の第１の側面および第２の側面の内視鏡システムの各構成は、それぞれ独立した装置であっても良いし、内視鏡システムの各構成のそれぞれとして機能するブロックであっても良い。
【手続補正１０】
【補正対象書類名】明細書
【補正対象項目名】００１４
【補正方法】変更
【補正の内容】
【００１４】
本技術の第１の側面および第２の側面によれば、内視鏡装置における撮像時の明るさに係る条件情報に応じて、画像の高画質化処理に係る処理負荷の低減と、高解像度化といった相反する効果をバランスよく調整することが可能となる。